(57)【要約】【課題】２つのフックを使用して水平状態でも起立状態でも本体の中央位置付近にフックを配置することができるルアーを提供すること。【解決手段】魚釣り用のルアー１の本体２の後端付近から背部に沿って本体２の全長の２／５の長さのレール６を固着する。フック６には第２のフック７がスライド移動可能かつ遊動自在に懸吊されており、最も本体２の後端から離間したスライド位置において本体２の中央付近に配置されるようになっている。これによってフックの取り付け数を減らすことができ、コスト的に有利となる。【選択図】図２
0003159455.tif 000002
【実用新案登録請求の範囲】
【請求項１】
ライン取着部と１又は複数のフックとを備えた長尺の本体を有し、前記ライン取着部をライン先端位置に取り付けて生き餌の代わりに水中を泳がせるようにして使用する魚釣り用のルアーにおいて、
前記本体の後端寄り外周には前記本体の長手方向に沿って配設されたレール部材が固着され、前記フックは前記レール部材に対してスライド移動可能かつ遊動自在に懸吊されており、最も前記本体の後端から離間したスライド位置において前記フックは前記本体の中央付近に配置されることを特徴とするルアー。
【請求項２】
前記レール部材は前記本体の後端付近から前記本体の背部又は腹部のいずれかに沿って延出されることを特徴とする請求項１に記載のルアー。
【請求項３】
前記レール部材の全長は前記本体の全長の１／５〜２／５の長さであることを特徴とする請求項１又は２に記載のルアー。
【請求項４】
前記フックは前記レール部材に１つ懸吊されるとともに、前記ライン取着部又は前記ライン取着部近傍に１つ懸吊されることを特徴とする請求項１〜３のいずれかに記載のルアー。
【考案の詳細な説明】
【技術分野】
【０００１】
本考案は魚釣りに使用されるルアーに関するものである。
【背景技術】
【０００２】
近年の魚釣りにおいては生き餌の代わりにルアーが使用されることが多くなってきている。ルアーは魚種に応じていろいろな種類が使い分けられており、例えば、タチウオやサワラのような歯のある魚ではルアーを餌となる小魚とするとその中央辺りを歯で噛みつくように攻撃するという習性がある。そのため、従来からこのような魚を念頭においた図３及び図４に示すようなルアー５０が考案されている。
このルアー５０は本体５１の異なる３か所にそれぞれ第１〜第３のフック取着用のリング５２〜５４を備えており、各リング５２〜５４にはそれぞれ第１〜第３のフック５５〜５７が懸吊されている。釣りにおいてこのルアー５０を投げてしゃくり上げるようにアクションをさせる場合には基本的に図３のような水平状態と図４のようにルアー５０が沈む際に起立して先端が上を向く２つの姿態がある。また、しゃくり上げるようなアクションをさせない場合であってもルアー５０を引き回す場合には図３のような状態となり、沈降させる場合には図４のような状態となる。
図３の場合では最も上部の第１のフック５５がちょうど本体５１の中央位置付近、つまり上記歯のある魚が噛みつきやすい位置に配置され、図４の場合では真ん中の第２のフック５６がちょうど本体５１の中央位置付近に配置されるようになっている。また、ルアーのフックの基本位置として後ろから噛みつく場合を想定して最後尾に第３のフック５７が取り付けられている。
【考案の概要】
【考案が解決しようとする課題】
【０００３】
しかし、上記のようなルアー５０では３つのフック５５〜５６を取り付けなければならない。そのため、作業工程が増えるとともに、フックの数が多いためコストもかかってしまう。
本考案は上記課題を解決するためのものである。その目的は２つのフックを使用して水平状態でも起立状態でも本体の中央位置付近にフックを配置することができるルアーを提供することにある。
【課題を解決するための手段】
【０００４】
上記課題を解決するために、請求項１に記載の考案では、ライン取着部と１又は複数のフックを懸吊するための長尺の本体を備え、前記ライン取着部をライン先端位置に取り付けるとともに前記フックを懸吊して生き餌の代わりに水中を泳がせるようにして使用する魚釣り用のルアーにおいて、前記本体の後端寄り外周には前記本体の長手方向に沿って延出されたレール部材が配設され、前記フックは前記レール部材に対してスライド移動可能かつ遊動自在に懸吊されており、最も前記本体の後端から離間したスライド位置において前記フックは前記本体の中央付近に配置されるようにしたことをその要旨とする。
請求項２に記載の考案では請求項１の考案の構成に加え、前記レール部材は前記本体の後端付近から前記本体の背部又は腹部のいずれか位置においてその長手方向に沿って延出されるようにしたことをその要旨とする。
請求項３に記載の考案では請求項１又は２の考案の構成に加え、前記レール部材の全長は前記本体の全長の１／５〜２／５の長さとしたことをその要旨とする。
請求項４に記載の考案では請求項１〜３のいずれかの考案の構成に加え、前記フックは前記レール部材に１つ懸吊されるとともに、前記ライン取着部又は前記ライン取着部近傍に１つ懸吊されるようにしたことをその要旨とする。
【考案の効果】
【０００５】
以上のように構成することで上記各請求項の考案では、２つのフックを使用して水平状態でも起立状態でも本体の中央位置付近にフックを配置することができるため、フックの取り付け数を減らすことができ、コスト的に有利となる。
【図面の簡単な説明】
【０００６】
【図１】本考案の一実施の形態のルアーを水平に配置した側面図。
【図２】同じルアーが沈降している状態の側面図。
【図３】従来のルアーを水平に配置した側面図。
【図４】同じ従来のルアーが沈降している状態の側面図。
【考案を実施するための形態】
【０００７】
以下、本考案の構造を具体化した実施の形態について図面に基づいて説明する。
図１及び図２に示すように、本実施の形態のルアー１は合金製の本体２を備えている。本体２は左右幅の薄い板状で側面視においては小魚に模した前後に長い流線型形状に構成されている。本体２の先端には針金製のライン取着用リング３が固着されており、長さを確保するための中間部材としてのアシストライン４及び連結リング８を介して１本針の第１のフック５が遊動自在に取着されている。
本体２を魚の胴体と模した場合における背側の長手方向に沿った後端寄りには針金製のレール６が固着されている。本実施の形態ではレール６の長さは本体２の全長の２／５とされている。レール６には２本針の第２のフック７が連結リング８を介してスライド移動可能かつ遊動自在に懸吊されている。
【０００８】
このような構成のルアー１であれば、例えば船の上で釣人がラインを操作し図１のような水平状態で引き回す場合では第１のフック５がちょうど本体２の腹側の中央付近に配置されることとなる。第２のフック７はスライド移動してレール６の下端位置に懸吊され本本体２の後方に延出されることとなる。
一方、図２のようにルアー５０が起立して沈降する場合には第２のフック７がスライド移動して（相対的に重い本体２が早く沈むため）今度は第１のフック５が本体２の背側の中央付近に配置されることとなる。ルアー１を投げてしゃくり上げるようにアクションをさせる場合でも同様である。
このような実施の形態のルアー１では、２つのフック５，７だけで水平状態と起立状態の際に本体２の中央付近に常にいずれかのフック５，７を配置させることがで、従来品に比べてフックの数を減らすことができることとなる。
【０００９】
上記実施の形態は、以下のように具体化されてもよい。
・レール６の形状や材質は上記に限定されるものではない。レール６の長さも上記に限定されるものではない。上記では本体２の背側の長手方向に沿ってレール６を固着したが、腹側であってよい。
・本体２の材質や形状は上記に限定されるものではない。
・第１のフック５の形状や懸吊される位置等についても上記に限定されるものではない。上記実施の形態では第１のフック５はライン取着用リング３に取り付けられていたが、別途フック取り付け用のリング等をライン取着用リング３の近傍に併設し、それに取り付けるような構成としてもよい。
・レール６の長さは上記実施の形態では２／５であったが、他の比率でもよく１／５〜２／５に最も収まるのが好ましい。尚、２／５や１／５は概ねこの比率であればよく、用途から演繹してそれほどの比率の厳密さが要求されるものではない。
その他、本考案の趣旨を逸脱しない範囲において変更した態様で実施することは自由である。
【符号の説明】
【００１０】
１…ルアー、２…本体、３…ライン取着部、６…レール部材としてのレール、７…フックとしての第２のフック。
【図１】
0003159455.tif 000003
【図２】
0003159455.tif 000004
【図３】
0003159455.tif 000005
【図４】
0003159455.tif 000006